(57)【要約】      （修正有）【課題】定量噴射機構において、静止モードのときに次回噴射対象の内容物が定量室から容器本体内部に流れてしまう「液落ち」を確実に阻止して内容物定量噴射の安定化を図る。【解決手段】定量室の上流側に設けられた内容物流入用のチューブ９の先端部分に、「液落ち」阻止用の逆止弁として作用するボール弁１０ａを備えた内圧応動ユニット１０を取り付けた。作動モードに移行するときのステムの下動操作によって、逆止弁と定量室流入弁との間の閉空間域Ｂにステムが進入し、過圧状態が発生しようとしたときに、ボール弁１０ａと弁座１０ｆとが一体となってユニット内コイルスプリング１０ｊの弾性力に抗しながら下動し、閉空間域Ｂの容積を増加させることで過圧状態の発生を阻止して、さらなるステムの下動操作を可能とした。【選択図】図４
2018016348.tif 000002
【特許請求の範囲】
【請求項１】
作動モード設定操作に連動するステムに対応した定量室流入弁と定量室流出弁との間の定量室の内容物が、前記定量室流入弁の閉状態で、液化ガス噴射剤の作用により前記定量室流出弁の開状態部分から外部空間域に噴射され、かつ、静止モードで前記定量室流入弁の側からの内容物落ちを阻止する逆止弁が、前記定量室流入弁へと続く上流側通路部に設けられた定量噴射機構において、
前記上流側通路部は、
容器本体内容物の流入部と、
前記ステムの静止モードから作動モードへの移行の際にそれぞれ閉状態の前記定量室流入弁および前記逆止弁からなる閉空間域の内圧に応じてその増加を抑える方向に移動し、前記定量室流入弁が開状態の静止モードのときは初期態様に自動復帰する内圧応動部と、
を備えた、
ことを特徴とする定量噴射機構。
【請求項２】
前記内圧応動部は、
前記上流側通路部の内側に配設され、
前記初期態様へ弾性力により付勢された逆止弁受け部である、
ことを特徴とする請求項１記載の定量噴射機構。
【請求項３】
前記内圧応動部は、
前記上流側通路部の前記逆止弁よりも下流側の一部分を構成し、
前記一部分の内容量を増加させる形に弾性変位して、その自弾性力により前記初期態様へ復帰する弾性筒状部である、
ことを特徴とする請求項１記載の定量噴射機構。
【請求項４】
前記内圧応動部は、
前記上流側通路部の前記逆止弁よりも下流側部分に形成された内外連通用の孔部と、
前記孔部を、前記下流側部分の内圧増加に応じてそれまでの閉状態から開状態にシフトさせる内圧応動弁とからなる、
ことを特徴とする請求項１記載の定量噴射機構。
【請求項５】
前記内圧応動部は、
前記上流側通路部を構成する内容物流入用のチューブの先端部分にユニットタイプで取り付けられている、
ことを特徴とする請求項１乃至４のいずれかに記載の定量噴射機構。
【請求項６】
請求項１乃至５のいずれかに記載の定量噴射機構を備え、かつ、液化ガス噴射剤および内容物を収容した、
ことを特徴とするエアゾール式製品。
【発明の詳細な説明】
【技術分野】
【０００１】
本発明は、エアゾール容器の定量噴射後に定量室へ流入する次回噴射対象の内容物が、その後の静止モードにおいて、定量室流入側のチューブなどを経て容器本体内部に流れてしまう、いわゆる「液落ち」状態の抑止化を図るようにした定量噴射機構に関する。
【０００２】
定量噴射後に定量室へ収容される内容物が静止モードにおいても減少することなくそのまま保持されて次回の作動モードのときに外部空間に噴射される、すなわち定量噴射機構の噴射量が低下しないことが望ましく、本発明はこのような要請に応えるものである。
【０００３】
定量噴射後の静止モードにおいて「液落ち」が生じるのは、容器本体の内圧で容器本体液面より押し上げられた状態になっている定量室の内容物に溶けている噴射剤ガスが、その自重により定量室内で気化するためと考えられる。この「液落ち」は「内容物落ち」ともいえる。
【０００４】
すなわち、静止モードのとき定量室内と容器本体内の圧力が同圧であるため、定量室Ａの内容物液面が下がってしまう。これは、あたかも「定量室気相部−液相部−容器本体気相部」からなるＵ字管での定量室および容器本体それぞれの液面変位といえる。この時、容器本体気相部のガスは液相部の移動による圧縮で液相部に吸収されていく。
【０００５】
なお、本明細書における「液化ガス」は、炭酸ガスなどのように内容物（原液）に溶解したガスを含み、「気化」は、当該ガスがその溶解内容物との液状態から気体に変化することを含む。
【背景技術】
【０００６】
前述の「液落ち」阻止用の逆止弁を定量室流入弁の上流部分に配設し、静止モードにおいて、ともに閉状態の上記逆止弁および定量室流出弁の間の閉空間域を設定する定量噴射機構は、提案済みである（特許文献１参照）。
【０００７】
なお、後述のステム２の横孔部２ｂおよびステムガスケット６が定量室流出弁に相当し、またステム２の下端側外面および環状シール部材８が定量室流入弁に相当する。
【０００８】
上記逆止弁の配設により、逆止弁下流側の定量室に収容された内容物が静止モードのとき「液落ち」状態となることを阻止している。
【先行技術文献】
【特許文献】
【０００９】
【特許文献１】特開２０１０−４７２９０号公報
【発明の概要】
【発明が解決しようとする課題】
【００１０】
上記逆止弁を用いた定量噴射機構は、静止モードのとき、定量室中の液化ガスが気化して定量室および容器本体それぞれの気相部間に内容物が挟まれたいわばＵ字管状連続空間域「定量室気相部−内容物液相部−容器本体気相部」が形成されるのを阻止している。
【００１１】
上記先行技術は、静止モードにおけるこのようなＵ字管状連続空間域が形成されないようにして、定量噴射機構の「液落ち」阻止化を志向したものである。
【００１２】
本件出願は、上記逆止弁を持つ定量噴射機構について、静止モードから作動モードへの確実な移行動作を担保すべく、すなわち内容物噴射操作により定量室流入弁が閉じて定量室流出弁が開いた状態に確実にシフトできるようにしたものである。
【００１３】
今回の検証ターゲットとなった点は、ステムの下動などによって定量室流入弁が閉状態に移行するときの初期閉段階ではまだ定量室流出弁が十分な開状態にシフトしていないことである。
【００１４】
この定量室流出弁を本来の開状態にシフトさせるべく利用者などがさらにステムを下動させようとしても、閉状態同士の逆止弁および定量室流入弁の間の閉空間域がいわば「内容物満杯」状態にシフト済みなので、ステムは下動しえない。
【００１５】
本発明は、この逆止弁と定量室流入弁との間の閉空間域の存在下でも、ステムの下動操作が可能な定量噴射剤機構を構成して、「液落ち」阻止態様の内容物定量噴射の確実化を図ることを目的とする。
【課題を解決するための手段】
【００１６】
本発明は、以上の課題を次のようにして解決する。
（１）作動モード設定操作に連動するステム(例えば後述のステム２)に対応した定量室流入弁（例えば後述のステム２の下端側外面および環状シール部材８）と定量室流出弁（例えば後述の横孔部２ｂおよびステムガスケット６）との間の定量室（例えば後述の定量室Ａ）の内容物が、前記定量室流入弁の閉状態で、液化ガス噴射剤の作用により前記定量室流出弁の開状態部分から外部空間域に噴射され、かつ、静止モードで前記定量室流入弁の側からの内容物落ちを阻止する逆止弁（例えば後述のボール弁１０ａ，１１ａ，１２ａ）が、前記定量室流入弁へと続く上流側通路部（例えば後述の内圧応動ユニット１０，１１，１２の内部通路域）に設けられた定量噴射機構において、
前記上流側通路部は、
容器本体内容物の流入部（例えば後述の流入通路部１０ｅ，１１ｆ，１２ｆ）と、
前記ステムの静止モードから作動モードへの移行の際にそれぞれ閉状態の前記定量室流入弁および前記逆止弁からなる閉空間域（例えば後述の閉空間域Ｂ）の内圧に応じてその増加を抑える方向に移動し、前記定量室流入弁が開状態の静止モードのときは初期態様に自動復帰する内圧応動部（例えば後述の弁座１０ｆ，蛇腹状部１１ｄ，内圧応動弁１２ｄ）と、を備えた、
構成態様のものを用いる。
（２）上記（１）において、
前記内圧応動部は、
前記上流側通路部の内側に配設され、
前記初期態様へ弾性力により付勢された逆止弁受け部（例えば後述のボール弁１０ａに対する弁座１０ｆ）である、
構成態様のものを用いる。
（３）上記（１）において、
前記内圧応動部は、
前記上流側通路部の前記逆止弁よりも下流側の一部分を構成し、
前記一部分の内容量を増加させる形に弾性変位して、その自弾性力により前記初期態様へ復帰する弾性筒状部（例えば後述の蛇腹状部１１ｄ）である、
構成態様のものを用いる。
（４）上記（１）において、
前記内圧応動部は、
前記上流側通路部の前記逆止弁よりも下流側部分に形成された内外連通用の孔部（例えば後述のユニット横孔部１２ｃ）と、
前記孔部を、前記下流側部分の内圧増加に応じてそれまでの閉状態から開状態にシフトさせる内圧応動弁（例えば後述の内圧応動弁１２ｄ）とからなる、
構成態様のものを用いる。
（５）上記（１）〜（４）において、
前記内圧応動部は、
前記上流側通路部を構成する内容物流入用のチューブ（例えば後述のチューブ９）の先端部分にユニットタイプ（例えば後述の内圧応動ユニット１０，１１，１２）で取り付けられた、
構成態様のものを用いる。
【００１７】
このような構成からなる定量噴射機構および、この定量噴射機構を備えたエアゾール式製品を本発明の対象としている。
【発明の効果】
【００１８】
本発明はこのように、「液落ち」阻止用の逆止弁と定量室流入弁との間の閉空間域の存在下でも、ステムの下動操作が可能な定量噴射剤機構を構成して、「液落ち」阻止態様の内容物定量噴射の確実化を図ることができる。
【図面の簡単な説明】
【００１９】
【図１】定量噴射機構の静止モードを示す説明図である。
【図２】図１の定量噴射機構のボタン押下げ操作の初期段階を示す説明図である。
【図３】図１の定量噴射機構のボタン押下げ操作に基づく定量噴射機構の作動モードを示す説明図である。
【図４】チューブ９の流入端側に取り付けられた、筒状で上下方向への弁座・逆止弁可動タイプの内圧応動ユニット１０を示す説明図である。
【図５】チューブ９の流入端側に取り付けられた、筒状で周面蛇腹タイプの内圧応動ユニット１１を示す説明図である。
【図６】チューブ９の流入端側に取り付けられた、筒状で周面横孔部開閉タイプの内圧応動ユニット１２を示す説明図である。
【発明を実施するための形態】
【００２０】
図１乃至図６を用いて本発明を実施するための最良の形態を説明する。
【００２１】
各図において、
図１は、定量噴射機構の静止モードを示し、
図２は、ボタン押下げ操作の初期段階（横孔部２ｂ，環状シール部材８およびボール弁１０ａ，１１ａ，１２ａがそれぞれ閉じ、定量室Ａおよび閉空間域Ｂが設定された状態）を示し、
図３は、図２の初期段階に続くボタン押下げ操作に基づく定量噴射機構の作動モード（横孔部２ｂが定量室Ａと連通し、環状シール部材８およびボール弁１０ａ，１１ａ，１２ａがそれぞれ閉じたままの状態）を示し、
図４は、チューブ流入端側に取り付けられた、筒状で上下方向への弁座・逆止弁可動タイプの内圧応動ユニットを示し、
図５は、チューブ流入端側に取り付けられた、筒状で周面蛇腹タイプの内圧応動ユニットを示し、
図６はチューブ流入端側に取り付けられた、筒状で周面横孔部開閉タイプの内圧応動ユニットを示している。
【００２２】
図１〜図６で用いるアルファベット付き参照番号の構成要素（例えば通路域２ａ）は原則として、当該参照番号の数字部分の構成要素（例えばステム２）の一部であることを示している。
【００２３】
図１〜図６において、
Ａは内容物噴射操作に応じてハウジング内部に設定される定量室，
Ｂは定量噴射操作の初期段階から、定量室流入弁（後述のステム２の下端側外面および環状シール部材８）と、「液落ち」阻止用の逆止弁（後述のボール弁１０ａ，１１ａ，１２ａ）との間に設定される閉空間域，
Ｃは定量噴射時の内容物の流れ，
をそれぞれ示している。
【００２４】
また、
１は外部空間域への通路部が形成された上下動タイプで内容物噴射操作用のボタン，
２はボタン１の周知の通路部（図示省略）と嵌合し、下側部分が後述の上ハウジング４に配設されて、かつ、後述のコイルスプリング５の弾性作用で図示上方向に付勢されて後述のステムガスケット６とともに弁作用を呈し、その下端側外面が定量室流入弁として作用するステム，
２ａはボタン１の通路部にいたる内容物や液化ガス噴射剤の通路域，
２ｂは外部空間域への噴射バルブ（定量室流出弁）を後述のステムガスケット６とともに構成する、定量室流出弁としての横孔部，
をそれぞれ示している。
【００２５】
また、
３は後述の内容物および液化ガス噴射剤を収納しているエアゾール式製品の容器本体の開口端部側に取り付けられたマウンティングキャップ，
４はステム２を上下動可能な形で収容する筒状の上ハウジング，
５はステム２の環天井段部と上ハウジング４のリブ状段部との間に配設されて当該ステムを上方向に付勢するコイルスプリング，
６は上ハウジング４の開口部分とマウンティングキャップ３の天井面との間に取り付けられて当該上ハウジングの内部空間域のシール作用を呈し、また、ステム２の横孔部２ｂとともに噴射バルブ（定量室流出弁）として作用する、定量室流出弁としてのステムガスケット，
をそれぞれ示している。
【００２６】
また、
７は上ハウジング４の下側筒状部分と嵌合し内容物通路として作用する筒状の下ハウジング，
７ａは後述のチューブ９が取り付けられる筒状部，
８は上ハウジング４の中間環天井部と下ハウジング７の上端面部分との間に取り付けられて、ボタン押下げ操作にともなうステム２との当接により定量室Ａおよび閉空間域Ｂを画定する、定量室流入弁としてのラッパ状の環状シール部材，
９は下ハウジング７に取り付けられた内容物流入用のチューブ，
をそれぞれ示している。
【００２７】
また、
１０はチューブ９の内容物流入端側に取り付けられた、筒状で上記定量室流入弁へと続く上流側通路部としての内部通路域を備える、上下方向への弁座・逆止弁可動タイプの内圧応動ユニット，
１０ａは内圧応動ユニット１０の下側内部に配設された「液落ち」阻止用の逆止弁としてのボール弁，
１０ｂはチューブ９に嵌合状態で取り付けられた上筒状部，
１０ｃは上筒状部１０ｂの中央部分に形成された上縦通路部，
１０ｄは上筒状部１０ｂに嵌合状態で取り付けられた下筒状部，
１０ｅは下筒状部１０ｄの下端側に形成された容器本体内容物の流入部としての小径筒状の流入通路部，
１０ｆは上筒状部１０ｂおよび下筒状部１０ｄの内部空間域に配設されてボール弁１０ａを受ける擂鉢状内周面からなる、内圧応動部としての弁座，
１０ｇは弁座１０ｆの中央部分に形成された下縦通路部，
１０ｈは弁座１０ｆの環状上端部分であって上筒状部１０ｂの環状下端部分に保持される環状上端部分，
１０ｊは弁座１０ｆの外周面段部と下筒状部１０ｄの底面段部との間に配設されて、この弁座を上方向に付勢するユニット内コイルスプリング，
をそれぞれ示している。
【００２８】
また、
１１はチューブ９の内容物流入の先端側に取り付けられた、筒状で上記定量室流入弁へと続く上流側通路部としての内部通路域を備える、周面蛇腹タイプの内圧応動ユニット，
１１ａは内圧応動ユニット１１の下方内部に配設された「液落ち」阻止用の逆止弁としてのボール弁，
１１ｂはチューブ９に嵌合状態で取り付けられた大径の上筒状部，
１１ｃは上筒状部１１ｂの中央部分に形成された上縦通路部，
１１ｄは上筒状部１１ｂからその下方に連続形成されて上下方向に弾性変位する、内圧応動部・弾性筒状部としての大径の蛇腹状部
１１ｅは蛇腹状部１１ｄからその下方に連続形成されてボール弁１１ａを受ける擂鉢状内周面からなる弁座，
１１ｆは弁座１１ｅからその下方に連続形成された容器本体内容物の流入部としての小径筒状の流入通路部，
をそれぞれ示している。
【００２９】
また、
１２はチューブ９の内容物流入の先端側に取り付けられた、筒状で上記定量室流入弁へと続く上流側通路部としての内部通路域を備える、周面横孔部開閉タイプの内圧応動ユニット，
１２ａは内圧応動ユニット１２の下方内部に配設された「液落ち」阻止用の逆止弁としてのボール弁，
１２ｂはチューブ９に嵌合状態で取り付けられた大径の上筒状部，
１２ｃは上筒状部１２ｂの周面部分に形成された内外連通用の孔部としてのユニット横孔部，
１２ｄは上筒状部１２ｂの外周面側に密着する態様で設けられた弾性環状部材であって、ユニット横孔部１２ｃの外側開口部分を開閉する、押下げボタン操作時の内圧応動部としての内圧応動弁，
１２ｅは上筒状部１２ｂからその下方に連続形成されてボール弁１２ａを受ける擂鉢状内周面からなる弁座，
１２ｆは弁座１２ｅからその下方に連続形成された容器本体内容物の流入部としての小径筒状の流入通路部，
をそれぞれ示している。
【００３０】
ステム２，上ハウジング４，下ハウジング７およびチューブ９などはポリプロピレン，ポリエチレン，ポリアセタール，ナイロン，ポリブチレンテレフタレートなどからなるプラスチック製のものである。
【００３１】
マウンティングキャップ３は金属製のものであり、ボタン１およびコイルスプリング５は金属製，プラスチック製のものであり、ステムガスケット６はゴム製のものであり，環状シール部材８はプラスチック製，ゴム製のものである。
【００３２】
内圧応動ユニット１０，１１，１２それぞれの構成要素の中、ボール弁１０ａ，１１ａ，１２ａは金属製，ゴム製，プラスチック製のものであり、ユニット内コイルスプリング１０ｊは金属製，プラスチック製のものである。
【００３３】
また、内圧応動弁１２ｄはゴム製，プラスチック製のものであり、その他の構成要素はプラスチック製のものである。
【００３４】
環状シール部材８はステム２の下端側外面との当接作用により弾性変形し、この当接作用を受けなくなると初期状態に弾性復帰する。
【００３５】
また、内圧応動弁１２ｄも、ボタン１の押下げ操作にともなって、閉空間域Ｂの設定後はその内圧増加でユニット横孔部１２ｃから離れる方向に弾性変形し、この内圧増加がなくなるとユニット横孔部１２ｃは「閉」の初期状態に弾性復帰する。この弾性変形は、環状の内圧応動弁１２ｄの一部が径方向に増加する拡大変形に基づく。
【００３６】
図示の定量噴射機構の基本的特徴は、
(11)液化ガス噴射剤を使用する周知の定量室Ａの内容物が、ボタン１の押下げ操作により外部空間域に噴射される場合を前提とし、
(12)定量噴射後の静止モードにおいて定量室Ａやその上流側の閉空間域Ｂなどで発生する「液落ち」を阻止するための逆止弁（ボール弁１０ａ，１１ａ，１２ａ）からなる内圧応動ユニット１０，１１，１２が、チューブ先端部分に取り付けられ、
(13)この内圧応動ユニットは、それぞれボタン押下げ操作の初期段階でチューブ８およびユニット内部を含む形で設定される閉空間域Ｂ（環状シール部材８とボール弁１０ａ，１１ａ，１２ａとの間）へのさらなるボタン押下げ操作を可能とするための機能を持つ、
ことである。
【００３７】
すなわち、「さらなるボタン押下げ操作を可能とするための機能」とは、このボタン押下げ操作に応じて、
(21)図４の内圧応動ユニット１０の場合、ボール弁１０ａおよびこれを受ける弁座１０ｆが一体となってユニット内コイルスプリング１０ｊの弾性力に抗しながら下動し、これにより閉空間域Ｂの容積を増加させ、
(22)図５の内圧応動ユニット１１の場合、ボール弁１１ａを弁座１１ｅで受けた状態にて蛇腹状部１１ｄが上下方向に伸び、これにより閉空間域Ｂの容積を増加させ、
(23)図６の内圧応動ユニット１２の場合、上筒状部１２ｂのユニット横孔部１２ｃに対する内圧応動弁１２ｄが開状態へ変位し、これにより閉空間域Ｂのいわば過剰内容物をユニット外側の空間域（容器本体内部空間域）へ逃がす、
ことである。
【００３８】
このようなボタン押下げ操作初期にいわば「内容物満杯」状態で設定される閉空間域Ｂに対しての、内圧応動ユニット１０，１１，１２それぞれの過圧防止作用により、この閉空間域におけるステム２のさらなる下動（＝ボタン１の押下げ操作）が担保される。
【００３９】
このボタン１のさらなる押下げ操作が担保されることにより、ステム２は、その汎用的な定量室流出弁の横孔部２ｂおよびステムガスケット６がそれまでの閉（遮断）状態から開状態へと確実にシフトする。
【００４０】
この定量室流出弁の開状態シフトにともない、定量室Ａの収容内容物は、それに溶解している液化ガスの作用でステム２の通路域２ａおよびボタン通路部を経てボタン１の流出口（図示省略）から外部空間域に噴射される。
【００４１】
図１の静止モードでは、定量室流出弁（ステム２の横孔部２ｂおよびステムガスケット６）が閉じ、定量室流入弁（ステム２の下端側外面および環状シール部材８）が開いている。
【００４２】
このとき、横孔部２ｂは閉状態に設定されているので、定量室Ａの内容物がステム２の横孔部２ｂを経て外部空間域に噴射されることはない。
【００４３】
図２のボタン押下げ操作の初期段階では、定量室流出弁および定量室流入弁がともに閉じた状態に設定される。このときも定量室流出弁はまだ閉状態であり、静止モードのときと同じように、定量室Ａの内容物がステム２の横孔部２ｂを経て外部空間域に噴射されることはない。
【００４４】
図３の作動モードでは、ステム２がさらに下動して定量室流出弁が開き、定量室流入弁は図２の初期段階と同じように閉じたままである。すなわち、ステム２の横孔部２ｂと定量室Ａとが連通して定量室流入弁（ステム下端側外面および環状シール部材８）が閉じたままの状態に移行する。
【００４５】
そのため、定量室Ａに入っている内容物のみがその中の液化ガス噴射剤（液化ガス）の作用で「横孔部２ｂ−通路域２ａ−ボタン１の通路部」を経て外部空間に噴射される。
【００４６】
なお、液落ち阻止用逆止弁としてのボール弁１０ａ，１１ａ，１２ａは、図１〜図３のいずれの場合も閉じている。
【００４７】
すなわち、
図１の静止モードでは、（定量室Ａ＋閉空間域Ｂ）が連続した単一閉空間域を形成し、
図２のボタン押下げ操作の初期段階では、定量室Ａおよび閉空間域Ｂがそれぞれ単一の閉空間域を形成して、この閉空間域Ｂはいわば「内容物満杯」状態であり、
図３の作動モードでは、外部空間域と定量室Ａとが連通してそこの液化ガス作用にともなう定量室内容物の噴射状態に設定される。
【００４８】
図２のステム２がさらに下動して図３の作動モードに移行できるのは、上記「内容物満杯」状態の閉空間域Ｂを構成するチューブ９の先端部分に内圧応動ユニット１０，１１，１２を取り付けているからである。
【００４９】
この内圧応動ユニット１０，１１は閉空間域Ｂの容積を増加させることにより、また、内圧応動ユニット１２は閉空間域Ｂからその内容物の一部を外側の容器本体内部へと流出させることにより、その内部過圧状態の発生を阻止している。
【００５０】
ボタン１の押下げ操作を解除すると、ステム２は、コイルスプリング５の弾性力で図１の静止モード位置に復帰して、定量室Ａと定量室流出弁の横孔部２ｂとがいわば遮断される。また、定量室流入弁のステム下端側外面および環状シール部材８が開状態になる。
【００５１】
この押下げ操作解除にともない、内圧応動ユニット１０は、その弁座１０ｆおよびボール弁１０ａがユニット内コイルスプリング１０ｊの弾性作用により上動して初期状態の静止モードに復帰する。そして弁座１０ｆは、その環状上端部分１０ｈが上筒状部１０ｂの環状下端部分に当接した状態で安定保持される。
【００５２】
また、内圧応動ユニット１１は、その蛇腹状部１０ｆが自弾性力により上下方向にいわば縮む形で初期状態の静止モードに復帰する。
【００５３】
また、内圧応動ユニット１２は、その内圧応動弁１２ｄが自弾性力により径方向へ縮小変位して初期状態の静止モードに復帰する。
【００５４】
定量噴射後のボタン１の押下げ操作解除にともない、単一閉空間となる「定量室Ａ＋閉空間域Ｂ」の内圧がその外側の容器本体内部よりも低下して、内圧応動ユニット１０，１１，１２それぞれのボール弁１０ａ，１１ａ，１２ａが上動し、開状態にシフトする。
【００５５】
このボール弁１０ａ，１１ａ，１２ａの上動シフトにともなって、容器本体内容物が、内圧応動ユニット１０，１１，１２それぞれの流入通路部１０ｅ，１１ｆ，１２ｆおよびチューブ９を経て定量室Ａに流入する。
【００５６】
定量室Ａに容器内部からの内容物が十分に流入して定量室Ａの圧力が容器内部のそれと略同じになるまで大きくなると、当該内容物の流入も終わり、ボール弁１０ａ，１１ａ，１２ａはそれぞれの自重で落下して弁座１０ｆ，１１ｅ，１２ｅと密に当接する。
【００５７】
そのため、内容物とともに定量室Ａに入っている液化ガス噴射剤が気化して気相部の圧力が大きくなったとしても、すでに定量室Ａに充填されている内容物がチューブ９を経て容器内部の方に流れる「液落ち」は生じない。
【００５８】
すなわち前回の定量噴射の終了にともなって定量室Ａに流入した内容物はそこに保持されたままとなり、次の定量噴射で外部空間に放出される内容物が減少することを阻止しえる。
【００５９】
本発明が以上の実施形態に限定されないこと勿論であり、例えば、
(31)蛇腹状部１１ｄに代えて、上下方向に弾性変位する螺旋状部、および上下以外の方向や膨らみ態様で変位する弾性筒状部などを設ける、
(32)内圧応動ユニット１０，１１，１２の上筒状部１０ｂ，１１ｂ，１２ｂの側を下ハウジング７の筒状部７ａに取り付け、これらユニットの流入通路部１０ｅ，１１ｆ，１２ｆの側にチューブ９を取り付ける、
(33)定量室流入弁を、ステム下方のハウジング内部に配設した筒状ブッシュと、内容物噴射操作により液化ガスの作用で上動してこの筒状ブッシュの流入部を閉じるボール弁とで構成する（上記特許文献１の図４〜図６参照)、
(34)図４〜図６のボール弁１０ａ，１１ａ，１２ａに代えて、円柱形状の弁体，鞘状の弁体，円柱端面を半球形状にした弁体など各種形状のものを用いる、
(35)図４〜図６のボール弁１０ａ，１１ａ，１２ａおよび弁座１０ｆ，１１ｅ，１２ｅに代えて、スイング式，ダイヤフラム式，ボール以外のリフト式などの、各種逆止弁を用いる、
ようにしてもよい。
【００６０】
本発明が適用されるエアゾール式製品としては、消臭剤，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，洗濯のり，接着剤，潤滑剤などの各種用途のものがある。
【００６１】
容器本体の内容物に配合される成分としては、例えば、粉状物，油成分，アルコール類，界面活性剤，高分子化合物，各用途に応じた有効成分，水などが挙げられる。
【００６２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６３】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６４】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６５】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６６】
高分子化合物としては、メチルセルロース，ゼラチン，デンプン，カゼイン，ヒドロキシエチルセルロース，キサンタンガム，カルボキシビニルポリマーなどを用いる。
【００６７】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６８】
さらに、上記内容物以外の、懸濁剤，紫外線吸収剤，乳化剤，保湿剤，酸化防止剤、金属イオン封鎖剤なども用いることができる。
【００６９】
液化ガス噴射剤としては、液化石油ガス，ジメチルエーテル，フロロカーボン，炭酸ガスなどを用いる。
【符号の説明】
【００７０】
Ａ：定量室
Ｂ：定量噴射操作時に設定される定量室流入弁とボール弁との間の閉空間域
Ｃ：定量噴射時の内容物の流れ
【００７１】
１：ボタン
２：ステム
２ａ：通路域
２ｂ：横孔部
３：マウンティングキャップ
４：上ハウジング
５：コイルスプリング
６：ステムガスケット
７：下ハウジング
７ａ：筒状部
８：環状シール部材
９：チューブ
【００７２】
１０：弁座・逆止弁可動タイプの内圧応動ユニット
１０ａ：ボール弁
１０ｂ：上筒状部
１０ｃ：上縦通路部
１０ｄ：下筒状部
１０ｅ：流入通路部
１０ｆ：弁座
１０ｇ：下縦通路部
１０ｈ：環状上端部分
１０ｊ：ユニット内コイルスプリング
【００７３】
１１：周面蛇腹タイプの内圧応動ユニット
１１ａ：ボール弁
１１ｂ：上筒状部
１１ｃ：上縦通路部
１１ｄ：蛇腹状部
１１ｅ：弁座
１１ｆ：流入通路部
【００７４】
１２：周面横孔部開閉タイプの内圧応動ユニット
１２ａ：ボール弁
１２ｂ：上筒状部
１２ｃ：ユニット横孔部
１２ｄ：内圧応動弁
１２ｅ：弁座
１２ｆ：流入通路部
【図１】
2018016348.tif 000003
【図２】
2018016348.tif 000004
【図３】
2018016348.tif 000005
【図４】
2018016348.tif 000006
【図５】
2018016348.tif 000007
【図６】
2018016348.tif 000008